(57)【要約】【課題】電源電圧の大きさに応じて駆動コイルを通電／非通電とする比を変更することができる保護回路を提供する。【解決手段】モータの拘束時に、所定電圧振幅にて、第１の定電流でコンデンサを充電するとともに第１の定電流より小さい第２の定電流でコンデンサを放電させる充放電回路を備え、コンデンサの充電時にモータの駆動コイルを通電し、コンデンサの放電時に駆動コイルを非通電とするモータの保護回路において、電源電圧と基準電圧の大きさを比較する第１比較回路と、電源電圧が基準電圧より大きいことを示す第１比較回路の出力に基づいて、第２の定電流でコンデンサを放電させ、電源電圧が基準電圧より小さいことを示す第１比較回路の出力に基づいて、第２の定電流と第３の定電流との加算電流でコンデンサを放電させる放電制御回路と、を備え、電源電圧の大きさに応じて、拘束時におけるコンデンサの充電期間と放電期間の比を可変とする。【選択図】      図１
2006129671.tif 000002
【特許請求の範囲】
【請求項１】
モータの拘束時に、所定電圧振幅にて、第１の定電流でコンデンサを充電するとともに前記第１の定電流より小さい第２の定電流で前記コンデンサを放電させる充放電回路を備え、前記コンデンサの充電時に前記モータの駆動コイルを通電し、前記コンデンサの放電時に前記駆動コイルを非通電とするモータの保護回路において、
電源電圧と基準電圧の大きさを比較する第１比較回路と、
前記電源電圧が前記基準電圧より大きいことを示す前記第１比較回路の出力に基づいて、前記第２の定電流で前記コンデンサを放電させ、前記電源電圧が前記基準電圧より小さいことを示す前記第１比較回路の出力に基づいて、前記第２の定電流と第３の定電流との加算電流で前記コンデンサを放電させる放電制御回路と、
を備え、前記電源電圧の大きさに応じて、拘束時における前記コンデンサの充電期間と放電期間の比を可変とする、
ことを特徴とする保護回路。
【請求項２】
前記第１比較回路と、前記第１比較回路の出力に基づいて動作する前記放電制御回路とは、異なる複数の基準電圧に対してそれぞれ複数個設けられ、
複数の前記放電制御回路は、
前記第１比較回路の出力に基づいて選択的に動作し、
前記第３の定電流は、
選択的に動作した前記放電制御回路における個々の第３の定電流の加算値である、
ことを特徴とする請求項１に記載の保護回路。
【請求項３】
前記第１比較回路は、
電源電圧を分圧する第１の直列抵抗と、
前記電源電圧の変化に依存しない一定電圧を分圧する第２の直列抵抗と、
前記第１の直列抵抗の接続点に現れる第１電圧と、前記第２の直列抵抗の接続点に現れる第２電圧との大小に応じて動作する差動回路と、
前記第１電圧が前記第２電圧より大であることを示す前記差動回路の出力に基づいて前記電源電圧が前記基準電圧より大であることを示す信号を出力し、前記第１電圧が前記第２電圧より小であることを示す前記差動回路の出力に基づいて前記電源電圧が前記基準電圧より小であることを示す信号を出力する出力回路と、
を備え、
前記放電制御回路は、
前記出力回路の出力に基づいて、前記第２の定電流、または前記第２の定電流と前記第３の定電流との加算電流で前記コンデンサを放電させる、
ことを特徴とする請求項１または２に記載の保護回路。
【請求項４】
前記充放電回路は、
前記コンデンサに直列接続された充電用定電流回路と、
前記コンデンサに並列接続された放電用定電流回路と、
を備え、
前記第２の定電流は、
前記放電用定電流回路によって発生する電流であり、
前記第１の定電流は、
前記充電用定電流回路によって発生する電流と、前記第２の定電流との差分の電流である、
ことを特徴とする請求項１乃至３の何れかに記載の保護回路。
【請求項５】
前記放電制御回路は、
放電制御用定電流回路と、
前記放電制御用定電流回路の出力電流が供給されることによって動作し、前記第３の定電流を出力する電流ミラー回路と、
を備え、
前記電源電圧が前記基準電圧より大きいことを示す前記第１比較回路の出力に基づいて前記電流ミラー回路がオフすることによって、前記第２の定電流で前記コンデンサを放電させ、前記電源電圧が前記基準電圧より小さいことを示す前記第１比較回路の出力に基づいて前記電流ミラー回路がオンすることによって、前記第２の定電流と前記第３の定電流との加算電流で前記コンデンサを放電させる、
ことを特徴とする請求項１乃至４の何れかに記載の保護回路。
【請求項６】
前記コンデンサの充電電圧と、前記所定電圧振幅の上限電圧または下限電圧となる比較電圧との大きさの比較を行う第２比較回路と、
前記コンデンサの充電電圧が前記比較電圧より大であることを示す前記第２比較回路の出力に基づいて、前記比較電圧を前記下限電圧に設定し、前記コンデンサの充電電圧が前記比較電圧より小であることを示す前記第２比較回路の出力に基づいて、前記比較電圧を前記上限電圧に設定する比較電圧設定回路と、
前記コンデンサの充電電圧が前記比較電圧より大であることを示す前記第２比較回路の出力に基づいて、前記コンデンサを放電させ、前記コンデンサの充電電圧が前記比較電圧より小であることを示す前記第２比較回路の出力に基づいて、前記コンデンサを充電させる充放電切替回路と、
前記コンデンサの充電電圧が前記比較電圧より小であることを示す前記第２比較回路の出力に基づいて、前記放電制御回路の動作を停止させる充電期間設定回路と、
を備え、
前記所定電圧振幅にて充電と放電を交互に行うことを特徴とする請求項１乃至５の何れかに記載の保護回路。
【請求項７】
前記基準電圧は、
バンドギャップ型基準電圧回路によって得られる電圧であることを特徴とする請求項１乃至６の何れかに記載の保護回路。
【発明の詳細な説明】
【技術分野】
【０００１】
本発明は、保護回路に関する。
【背景技術】
【０００２】
モータ（例えばコンピュータなどに使用されるファンモータ）が何らかの原因で拘束されて駆動しなくなった場合、モータの駆動コイルに駆動電流を供給する駆動回路に過大電流が流れることがある。そして、駆動回路が集積化された場合には、駆動回路に過大電流が流れることによって、集積回路（以下、ＩＣとする）が発熱して破壊する可能性がある。  
よって、モータが拘束された場合には、駆動回路に過大電流が流れることを防止して、ＩＣが破壊しないように保護する必要がある。そのため、モータの拘束時において、例えば駆動コイルを一定間隔で通電／非通電とする制御を行うことによってＩＣの破壊を保護する保護回路が知られている。
【０００３】
また、保護回路には、モータを拘束していた要因が取り除かれた場合には、自動的に通常のモータ駆動に復帰することが要求される。  
そこで、モータが拘束されたことを検出すると、例えば所定電圧振幅において、コンデンサを充電する期間に駆動コイルを通電とし、コンデンサを放電する期間に駆動コイルを非通電とし、さらに、モータを拘束していた要因が取り除かれると自動的に通常の駆動に復帰させる自動復帰型の保護回路が提案されている（例えば、特許文献１参照）。
【０００４】
図４は従来の自動復帰型の保護回路の構成の一例を示す回路図である。なお、図４に示す保護回路は、モータが拘束されたことを検出する手段として、モータの回転数に比例した周波数の矩形波信号（以下ＦＧ信号とする）を用いている。
【０００５】
図４に示す保護回路は、定電流回路４０２、４１８、４２２、４５８、ＰＮＰ型バイポーラトランジスタ（以下ＰＮＰトランジスタとする）４０４、４０６、ＮＰＮ型バイポーラトランジスタ（以下ＮＰＮトランジスタとする）４０８、４１０、４１６、４２６、４６０、４６６、抵抗４１２、４１４、４６２、４６４、４６８、逆流防止用ダイオード４２０、コンデンサ４２４を有している。なお、コンデンサ４２４を除く部分は、例えばチップ上に集積化されている。
【０００６】
定電流回路４０２は電圧ＶＲＥＧに接続され定電流Ｉａを発生する。なお電圧ＶＲＥＧは、例えば不図示のバンドギャップ型基準電圧回路によって得られる一定の電圧である。
【０００７】
ＰＮＰトランジスタ４０４のエミッタは定電流回路４０２に接続され、ＰＮＰトランジスタ４０４のコレクタは、ＮＰＮトランジスタ４６０のベースおよびＮＰＮトランジスタ４０８のコレクタに接続されている。また、ＰＮＰトランジスタ４０４のベースはコンデンサ４２４の非接地側の電極（以下Ｅ点とする）に接続されている。
【０００８】
ＰＮＰトランジスタ４０６のエミッタは定電流回路４０２に接続され、ＰＮＰトランジスタ４０６のコレクタはＮＰＮトランジスタ４１０のコレクタに接続されている。また、ＰＮＰトランジスタ４０６のベースは電圧ＶＲＥＧと接地ＶＳＳ間に直列接続された抵抗４１２と抵抗４１４の接続点（以下Ｆ点とする）に接続されている。
【０００９】
ＮＰＮトランジスタ４０８とＮＰＮトランジスタ４１０のエミッタはともに接地ＶＳＳされ、ＮＰＮトランジスタ４１０のベースは、ＮＰＮトランジスタ４１０のコレクタに接続されるとともに、ＮＰＮトランジスタ４０８のベースに接続されている。従ってＮＰＮトランジスタ４０８とＮＰＮトランジスタ４１０は電流ミラー回路を構成している。なお、ＮＰＮトランジスタ４０８とＮＰＮトランジスタ４１０のトランジスタのサイズ比は等しいこととする。
【００１０】
ＮＰＮトランジスタ４１６のコレクタはＥ点と接続され、エミッタは接地ＶＳＳされている。また、ＮＰＮトランジスタ４１６のベースにはＦＧ信号が印加される。  
定電流回路４１８は電圧ＶＲＥＧとダイオード２２０のアノードの間に接続され、定電流Ｉｂを発生する。  
定電流回路４２２はＥ点と接地ＶＳＳ間に接続され、定電流Ｉｃを発生する。なお定電流Ｉｃは低電流Ｉｂより小さい（例えば、定電流Ｉｂ：定電流Ｉｃ＝１：１０）こととする。  
ダイオード４２０のアノードはＮＰＮトランジスタ４２６のコレクタと接続され、カソードはＥ点と接続されている。  
ＮＰＮトランジスタ４２６のコレクタは定電流回路４１８に接続され、エミッタは接地されている。またＮＰＮトランジスタ４１６のベースは抵抗４６２を介してＮＰＮトランジスタ４６０のコレクタと接続されている。  
定電流回路４５８は電圧ＶＲＥＧに接続され、定電流Ｉｄを発生する。
【００１１】
ＮＰＮトランジスタ４６０のコレクタは定電流回路４５８と接続され、エミッタは接地ＶＳＳされている。  
ＮＰＮトランジスタ４６６のコレクタは、抵抗４６８を介してＦ点と接続され、エミッタは接地ＶＳＳされている。また、ＮＰＮトランジスタ４６６のベースは抵抗４６４を介してＮＰＮトランジスタ４６０のコレクタと接続されている。  
なお、ＮＰＮトランジスタ４２６のベース電位が保護回路の出力となる。
【００１２】
次に、図４および図５を用いて保護回路の動作について説明する。図５は従来の保護回路の動作を説明するための波形図である。
【００１３】
≪モータが通常に駆動している場合≫
定電流回路４０２に接続されたＰＮＰトランジスタ４０４とＰＮＰトランジスタ４０６はＥ点とＦ点の電圧の大小に応じて動作する。なお、Ｆ点の電圧は、電圧ＶＣＣに依存しない電圧ＶＲＥＧを分圧して得られる電圧であり、モータが通常に駆動している時のＥ点の電圧より高い、拘束保護の動作電圧（図５に示すＦ１）が設定されている。よって通常時には、Ｅ点の電圧がＦ１より低いため、ＰＮＰトランジスタ４０４がオンし、ＰＮＰトランジスタ４０６がオフしている。ＰＮＰトランジスタ４０６がオフすることによって、電流ミラー回路を構成するＮＰＮトランジスタ４０８、ＮＰＮトランジスタ４１０はオフとなる。一方、ＮＰＮトランジスタ４６０は、ベースにＮＰＮトランジスタ４０４のコレクタ電流が供給されることによってオンし、定電流Ｉｄをコレクタ電流として流す。そのため、ＮＰＮトランジスタ４２６と、ＮＰＮトランジスタ４６６のベースには電流が供給されなくなる。従って、モータが通常に駆動している場合には、ＮＰＮトランジスタ４２６と、ＮＰＮトランジスタ４６６は共にオフとなっている。
【００１４】
また、モータが通常に駆動している場合のＦＧ信号はモータの回転周期に比例して「ＨＩＧＨレベル（以下Ｈとする）」と「ＬＯＷレベル（以下Ｌとする）」を繰り返す矩形波となる。そして、ＮＰＮトランジスタ４１６は、ＦＧ信号の「Ｌ」の期間にオフし、「Ｈ」の期間にオンする。
【００１５】
ＦＧ信号が「Ｌ」、すなわちＮＰＮトランジスタ４１６がオフの期間には、定電流回路４１８の定電流Ｉｂは定電流回路４２２の定電流Ｉｃより大きいので、定電流Ｉｂと定電流Ｉｃの差分の電流でコンデンサ４２４を充電する。よって、Ｅ点の電圧は上昇する。  
ＦＧ信号が「Ｈ」、すなわちＮＰＮトランジスタ４１６がオンの期間には、（定電流Ｉｃ＋ＮＰＮトランジスタ４１６のコレクタ電流）と定電流Ｉｂの差分の電流によってコンデンサ４２４の充電電圧を放電する。よって、Ｅ点の電圧は低下する。  
このように、モータが通常に駆動している場合には、Ｅ点の電圧はＦＧ信号の「Ｈ」と「Ｌ」の期間に応じて、Ｆ１より小さい値において上昇と低下を交互に繰り返している。
【００１６】
≪モータが拘束された場合≫
モータが何らかの原因で拘束された場合、ＦＧ信号が「Ｌ」に固定となり、ＮＰＮトランジスタ４１６はオフとなる。そのため、コンデンサ４２４には定電流Ｉｂと定電流Ｉｃの差分の電流によって充電が続けられ、Ｅ点の電圧は上昇する。
【００１７】
やがて、Ｅ点の電圧がＦ１より高くなる。すると、ＰＮＰトランジスタ４０６がオンとなり、ＰＮＰトランジスタ４０４がオフとなる。そして、電流ミラー回路を構成するＮＰＮトランジスタ４０８、ＮＰＮトランジスタ４１０がオンし、ＰＮＰトランジスタ４０６のコレクタ電流と等倍の電流を流そうとする。よってＮＰＮトランジスタ４６０のベースに電流が供給されなくなるので、ＮＰＮトランジスタ４６０はオフとなる。
【００１８】
そのため、定電流回路４５８で発生する定電流Ｉｄは、抵抗４６２を介してＮＰＮトランジスタ４２６のベースに供給され、また抵抗４６４を介してＮＰＮトランジスタ４６６のベースに供給されることになり、ＮＰＮトランジスタ４２６とＮＰＮトランジスタ４６６が共にオンとなる。ＮＰＮトランジスタ４６６がオンすることによってＦ点の電圧は、抵抗４１２の抵抗値と、抵抗４１４および抵抗４６８を並列接続した抵抗値とによって電圧ＶＲＥＧを分圧した電圧（以下Ｆ２とする）になる。なお、Ｆ２はＦ１より低い電圧である。
【００１９】
また、ＮＰＮトランジスタ４２６がオンすることによって、定電流ＩｂがＮＰＮトランジスタ４２６のコレクタ電流として流れるので、コンデンサ４２４は定電流Ｉｃによって放電されることになる。よってＥ点の電圧は、定電流Ｉｃによって徐々に低下する。
【００２０】
つまり、Ｅ点の電圧がＦ１より高くなることによって、充電から放電への切り替えが行われるのと共に、Ｅ点の電圧はＦ１より低いＦ２に変更される。そしてＥ点の電圧がＦ２に達するまでの期間（図５のＴａ期間）において、定電流Ｉｃでコンデンサ４２４を徐々に放電する。
【００２１】
やがて、Ｅ点の電圧がＦ２より低くなる。すると、ＰＮＰトランジスタ４０４がオンとなり、ＰＮＰトランジスタ４０６がオフとなる。そして、電流ミラー回路を構成するＮＰＮトランジスタ４０８、ＮＰＮトランジスタ４１０がオフとなり、ＮＰＮトランジスタ４６０がオンとなる。
【００２２】
ＮＰＮトランジスタ４６０がオンすることで定電流Ｉｄをコレクタ電流として流すので、ＮＰＮトランジスタ４２６とＮＰＮトランジスタ４６６はベースに電流が供給されなくなって共にオフとなる。ＮＰＮトランジスタ４６６がオフすることによってＦ点の電圧はＦ２からＦ１になる。
【００２３】
また、ＮＰＮトランジスタ４２６がオフすることによって、コンデンサ４２４は定電流Ｉｂと定電流Ｉｃの差分の電流で充電される。よってＥ点の電圧は、定電流（Ｉｂ−Ｉｃ）によって上昇する。
【００２４】
つまり、Ｅ点の電圧がＦ２より低くなることによって、放電から充電への切り替えが行われるのと共に、Ｅ点の電圧はＦ２からＦ１に変更される。そしてＥ点の電圧がＦ１に達するまでの期間（図５のＴｂ期間）において、定電流ＩｂとＩｃの差分の電流でコンデンサ４２４を充電する。
【００２５】
なお、ＮＰＮトランジスタ４２６のベース電位が保護回路の出力となり、Ｅ点の電圧がＦ１より高くなった時にモータの拘束を示す「Ｈ」が出力される。そして、出力が「Ｈ」すなわちＮＰＮトランジスタ４２６がオンしてコンデンサ４２４を放電しているＴａ期間には駆動コイル（不図示）を非通電とし、出力が「Ｌ」すなわちＮＰＮトランジスタ４２６がオフしてコンデンサ４２４を充電しているＴｂ期間には駆動コイルを通電する。モータの拘束が解除されると、ＦＧ信号が正常な矩形波になり、ＮＰＮトランジスタ４１６が一定周期でオンするので、Ｅ点の電圧はＦ１を越えなくなる。従って保護回路の出力は「Ｌ」となり通常のモータの駆動が行われる。
【００２６】
このように、モータが拘束されると、保護回路はコンデンサ４２４の充電および放電をＦ１とＦ２の電圧振幅間で交互に行う。そして、コンデンサ４２４を放電しているＴａ期間に駆動コイルを非通電とし、充電しているＴｂ期間に駆動コイルを通電している。
【特許文献１】特開平６−１６５５７４号公報
【発明の開示】
【発明が解決しようとする課題】
【００２７】
このような従来の保護回路では、ＩＣの熱破壊を防止するため、駆動コイルを通電／非通電とする時間比（Ｔａ：Ｔｂ）をＴｂに対してＴａが数十倍（例えば１８倍）となるように設定していた。そのため、例えば製品検査を行う場合、熱破壊の可能性の少ない低い電源電圧で可能な検査においても、この通電／非通電の時間比を変更することができなかった。  
そして、駆動コイルの非通電の期間が長いことによって、熱破壊の可能性の少ない検査工程においても長い時間を費やすことになり、時間短縮することができなかった。  
このように、従来の保護回路では、駆動コイルを通電／非通電とする時間比を電源電圧に応じて変更することができないという問題点があった。  
そこで、本発明は電源電圧の大きさに応じて駆動コイルを通電／非通電とする比を変更することができる保護回路を提供することを目的とする。
【課題を解決するための手段】
【００２８】
前記課題を解決するための主たる発明は、モータの拘束時に、所定電圧振幅にて、第１の定電流でコンデンサを充電するとともに前記第１の定電流より小さい第２の定電流で前記コンデンサを放電させる充放電回路を備え、前記コンデンサの充電時に前記モータの駆動コイルを通電し、前記コンデンサの放電時に前記駆動コイルを非通電とするモータの保護回路において、電源電圧と基準電圧の大きさを比較する第１比較回路と、前記電源電圧が前記基準電圧より大きいことを示す前記第１比較回路の出力に基づいて、前記第２の定電流で前記コンデンサを放電させ、前記電源電圧が前記基準電圧より小さいことを示す前記第１比較回路の出力に基づいて、前記第２の定電流と第３の定電流との加算電流で前記コンデンサを放電させる放電制御回路と、を備え、前記電源電圧の大きさに応じて、拘束時における前記コンデンサの充電期間と放電期間の比を可変とする、ことを特徴とする。
【００２９】
本発明の他の特徴については、添付図面及び本明細書の記載により明らかとなる。
【発明の効果】
【００３０】
本発明によれば、電源電圧の大きさに応じて駆動コイルを通電／非通電とする比を変更することができる。
【発明を実施するための最良の形態】
【００３１】
本明細書および添付図面の記載により、少なくとも以下の事項が明らかとなる。
【００３２】
＝＝＝システム構成＝＝＝
図２を参照しつつ、本発明の保護回路を含むシステム構成について説明する。図２は、本発明の保護回路を含むシステム構成の一例を示すブロック図である。
【００３３】
図２におけるシステムは、保護回路１００、コンデンサ１２４、制御回路２０２、２０４、ＰＮＰトランジスタ２０８、２１０、ＮＰＮトランジスタ２１２、２１４、駆動コイル２１６、抵抗２０６を有している。なお、ＰＮＰトランジスタ２０８、２１０、ＮＰＮトランジスタ２１２、２１４は駆動回路を構成している。また駆動コイル２１６およびコンデンサ１２４を除く部分は、例えばチップ上に集積化されている。
【００３４】
保護回路１００はＦＧ信号に応じてコンデンサ１２４を充電または放電し、コンデンサ１２４の充電電圧に基づいてモータの拘束を検出する。そして、モータが拘束されたことを検出した場合、制御回路２０２、２０４に駆動コイル２１６を一定周期で通電／非通電とする信号を出力する。  
制御回路２０２は、ＰＮＰトランジスタ２１０とＮＰＮトランジスタ２１４のオン／オフを制御する。  
制御回路２０４は、ＰＮＰトランジスタ２０８とＮＰＮトランジスタ２１２のオン／オフを制御する。  
ＰＮＰトランジスタ２０８、２１０、ＮＰＮトランジスタ２１２、２１４はＨブリッジを構成している。そして、ＰＮＰトランジスタ２０８とＮＰＮトランジスタ２１２のコレクタ間には駆動コイル２１６の一端が接続され、ＰＮＰトランジスタ２１０とＮＰＮトランジスタ２１４のコレクタ間には駆動コイル２１６の他端が接続されている。
【００３５】
以上の構成のシステムにおいて、制御回路２０２によってＰＮＰトランジスタ２０８がオンし、制御回路２０４によってＮＰＮトランジスタ２１４がオンした場合、電圧ＶＣＣ→抵抗２０６→ＰＮＰトランジスタ２０８→駆動コイル２１６→ＮＰＮトランジスタ２１４→接地ＶＳＳの実線の径路の電流が流れる。
【００３６】
一方、制御回路２０２によってＮＰＮトランジスタ２１２がオンとなり、制御回路２０４によってＰＮＰトランジスタ２１４がオンとなった場合、電圧ＶＣＣ→抵抗２０６→ＰＮＰトランジスタ２１０→駆動コイル２１６→ＮＰＮトランジスタ２１２→接地ＶＳＳの破線の径路の電流が流れる。
【００３７】
この駆動コイル２１６に流れる電流の切替に応じて不図示のモータが回転することとなる。  
そして、モータが拘束された場合には、保護回路１００は一定の周期で駆動コイル２１６を通電／非通電とする信号を制御回路２０２、および制御回路２０４に出力する。モータの拘束時に、駆動コイル２１６を非通電とする期間を設けることによって、過大電流が駆動回路に流れることを防止し、ＩＣの熱破壊を防止している。
【００３８】
＝＝＝保護回路の構成＝＝＝
図１を参照しつつ本発明の保護回路について説明する。図１は本発明の保護回路の構成の一例を示す回路図である。
【００３９】
図１に示す保護回路１００は、定電流回路１０２、１１８、１２２、１２８、１５２、１５８、１７２、ＰＮＰトランジスタ１０４、１０６、ＮＰＮトランジスタ１０８、１１０、１１６、１２６、１３０、１３２、１５４、１５６、１６０、１６６、１７４、１７６、抵抗１１２、１１４、１６２、１６４、１６８、１７０、逆流防止用ダイオード１２０、コンデンサ１２４、電源電圧検知回路１８０（『第１比較回路』）を有している。なお、コンデンサ１２４を除く部分は、例えばチップ上に集積化されている。
【００４０】
定電流回路１０２は電圧ＶＲＥＧに接続され定電流Ｉ１を発生する。なお電圧ＶＲＥＧは、例えば不図示のバンドギャップ型基準電圧回路によって得られる、電源電圧ＶＣＣに依存しない一定の電圧である。
【００４１】
ＰＮＰトランジスタ１０４のエミッタは定電流回路１０２に接続され、ＰＮＰトランジスタ１０４のコレクタは、ＮＰＮトランジスタ１６０のベースおよびＮＰＮトランジスタ１０８のコレクタに接続されている。また、ＰＮＰトランジスタ１０４のベースはコンデンサ１２４の非接地側の電極（以下Ｃ点とする）と接続されている。  
ＰＮＰトランジスタ１０６のエミッタは定電流回路１０２に接続され、ＰＮＰトランジスタ１０６のコレクタはＮＰＮトランジスタ１１０のコレクタに接続されている。また、ＰＮＰトランジスタ１０６のベースは電圧ＶＲＥＧと接地ＶＳＳ間に直列接続された抵抗１１２と抵抗１１４の接続点（以下Ｄ点とする）に接続されている。
【００４２】
ＮＰＮトランジスタ１０８とＮＰＮトランジスタ１１０のエミッタはともに接地ＶＳＳされ、ＮＰＮトランジスタ１１０のベースは、ＮＰＮトランジスタ１１０のコレクタに接続されるとともに、ＮＰＮトランジスタ１０８のベースに接続されている。従ってＮＰＮトランジスタ１０８とＮＰＮトランジスタ１１０は電流ミラー回路を構成している。なお、ＮＰＮトランジスタ１０８とＮＰＮトランジスタ１１０のトランジスタのサイズ比は等しいこととする。  
ＮＰＮトランジスタ１１６のコレクタはＣ点と接続され、エミッタは接地されている。またＮＰＮトランジスタ１１６のベースにはＦＧ信号が印加される。
【００４３】
定電流回路１１８（『充電用定電流回路』）は電圧ＶＲＥＧに接続され、定電流Ｉ２を発生する。  
定電流回路１２２（『放電用定電流回路』）はＣ点と接地ＶＳＳ間に接続され、定電流Ｉ３（『第２の定電流』）を発生する。なお定電流Ｉ３は低電流Ｉ２より小さい（例えば、定電流２：定電流３＝１：１０）こととする。
【００４４】
ダイオード１２０のアノードはＮＰＮトランジスタ１２６のコレクタと接続され、カソードはＣ点と接続されている。  
ＮＰＮトランジスタ１２６（『充放電切替回路』）のコレクタは定電流回路１１８と接続され、エミッタは接地されている。またＮＰＮトランジスタ１１６のベースは抵抗１６２を介してＮＰＮトランジスタ１６０のコレクタと接続されている。なお、ＮＰＮトランジスタ１２６のベース電位が、保護回路１００の出力として、図２に示す制御回路２０２および制御回路２０４に出力される。  
定電流回路１２８（『放電制御用定電流回路』）は電圧ＶＲＥＧに接続され、定電流Ｉ４を発生する。
【００４５】
ＮＰＮトランジスタ１３０とＮＰＮトランジスタ１３２のエミッタはともに接地ＶＳＳされ、ＮＰＮトランジスタ１３０のベースはＮＰＮトランジスタ１３０のコレクタに接続されるとともに、ＮＰＮトランジスタ１３２のベースに接続されている。従ってＮＰＮトランジスタ１３０とＮＰＮトランジスタ１３２は電流ミラー回路を構成している。ＮＰＮトランジスタ１３２のコレクタはＣ点と接続されている。なお、ＮＰＮトランジスタ１３０とＮＰＮトランジスタ１３２のトランジスタのサイズ比は等しいこととする。また、ＮＰＮトランジスタ１３０のコレクタは定電流回路１２８に接続されている。
【００４６】
定電流回路１５２は電圧ＶＲＥＧに接続され、定電流Ｉ６を発生する。  
ＮＰＮトランジスタ１５４のコレクタは定電流回路１５２に接続され、エミッタは接地ＶＳＳされている。またＮＰＮトランジスタ１５４のベースは電源電圧検知回路１８０の出力が印加される。  
ＮＰＮトランジスタ１５６のコレクタはＮＰＮトランジスタ１３０のコレクタと接続され、エミッタは接地ＶＳＳされている。また、ＮＰＮトランジスタ１５６のベースはＮＰＮトランジスタ１５４のコレクタと接続されている。
【００４７】
定電流回路１５８は電圧ＶＲＥＧに接続され、定電流Ｉ７を発生する。  
ＮＰＮトランジスタ１６０のコレクタは定電流回路１５８に接続され、エミッタは接地ＶＳＳされている。  
ＮＰＮトランジスタ１６６（『比較電圧設定回路』）のコレクタは、抵抗１６８を介してＤ点と接続され、エミッタは接地ＶＳＳされている。また、ＮＰＮトランジスタ１６６のベースは抵抗１６４を介してＮＰＮトランジスタ４６０のコレクタと接続されている。
【００４８】
定電流回路１７２は電圧ＶＲＥＧに接続され、定電流Ｉ８を発生する。  
ＮＰＮトランジスタ１７４のコレクタは、定電流回路１７２に接続され、エミッタは接地ＶＳＳされている。また、ＮＰＮトランジスタ１７４のベースは抵抗１７０を介してＮＰＮトランジスタ１６０のコレクタと接続されている。  
ＮＰＮトランジスタ１７６のベースは、ＮＰＮトランジスタ１７４のコレクタと接続され、コレクタはＮＰＮトランジスタＮＰＮトランジスタ１３０のコレクタと接続されている。また、ＮＰＮトランジスタ１７６のエミッタは接地ＶＳＳされている。
【００４９】
電源電圧検知回路１８０は電源電圧ＶＣＣと電圧ＶＲＥＧとの大きさを比較する。  
なお、電源電圧検知回路１８０は定電流回路１３４、ＰＮＰトランジスタ１３６、１３８、ＮＰＮトランジスタ１４０、１４２、抵抗１４４、１４６、１４８、１５０を有している。また、電源電圧ＶＣＣとして高い電圧（例えば６ボルトより大）と低い電圧（例えば６ボルト未満）が複数用意されており、使用用途に応じて電源電圧ＶＣＣの大きさが変更されることとする。
【００５０】
定電流回路１３４は電圧ＶＲＥＧに接続され定電流Ｉ５を発生する。  
ＰＮＰトランジスタ１３６のエミッタは定電流回路１３４の出力に接続され、ＰＮＰトランジスタ１３６のコレクタはＮＰＮトランジスタ１４０のコレクタに接続されている。そして、ＰＮＰトランジスタ１３６のベースは電圧ＶＲＥＧと接地ＶＳＳ間に直列接続された抵抗１４４と抵抗１４６の接続点（以下Ａ点とする）に接続されている。  
ＰＮＰトランジスタ１３８のエミッタは定電流回路１３４の出力に接続され、ＰＮＰトランジスタ１３８のコレクタはＮＰＮトランジスタ１４２のコレクタに接続されている。
【００５１】
また、ＰＮＰトランジスタ１３８のコレクタ電位が電源電圧検知回路１８０の出力となる。  
ＰＮＰトランジスタ１３８のベースは電源電圧ＶＣＣと接地ＶＳＳ間に直列接続された抵抗１４８、１５０の接続点（以下Ｂ点とする）に接続されている。なお、ＰＮＰトランジスタ１３６とＰＮＰトランジスタ１３８は、Ａ点の電圧（『第２電圧』）とＢ点の電圧（『第１電圧』）の大小に応じて動作する差動回路を構成している。
【００５２】
ＮＰＮトランジスタ１４０とＮＰＮトランジスタ１４２のエミッタはともに接地ＶＳＳされ、ＮＰＮトランジスタ１４０のベースはＮＰＮトランジスタ１４０のコレクタに接続されるとともに、ＮＰＮトランジスタ１４２のベースに接続されている。従ってＮＰＮトランジスタ１４０とＮＰＮトランジスタ１４２は電流ミラー回路（『出力回路』）を構成している。なお、ＮＰＮトランジスタ４０８とＮＰＮトランジスタ４１０のトランジスタのサイズ比は等しいこととする。
【００５３】
以上の保護回路１００の構成において、Ａ点の電圧がＢ点の電圧より低い場合には、ＰＮＰトランジスタ１３６がオンとなり、ＰＮＰトランジスタ１３８がオフとなる。そして電流ミラー回路を構成するＮＰＮトランジスタ１４０とＮＰＮトランジスタ１４２がオンし、ＰＮＰトランジスタ１３６のコレクタ電流と等倍のコレクタ電流を流そうとする。従って、電源電圧検知回路１８０の出力は「Ｌ」となる。
【００５４】
一方、Ａ点の電圧がＢ点の電圧より高い場合には、ＰＮＰトランジスタ１３６がオフとなり、ＰＮＰトランジスタ１３８がオンとなる。そして電流ミラー回路を構成するＮＰＮトランジスタ１４０とＮＰＮトランジスタ１４２がオフする。よって、定電流Ｉ５がＰＮＰトランジスタ１３８のコレクタ電流として流れるため、電源電圧検知回路１８０の出力は「Ｈ」となる。
【００５５】
従って、例えば電圧ＶＲＥＧを１．２ボルト、抵抗１４４と抵抗１４６の抵抗値の比を１：１、抵抗１４８と抵抗１５０の抵抗値の比を９：１とすると、電源電圧検知回路１８０の出力は、電源電圧ＶＣＣとして６ボルトより高い電圧を使用する場合に「Ｌ」となり、電源電圧ＶＣＣとして６ボルトより低い電圧を使用する場合に「Ｈ」となる。
【００５６】
なお、電源電圧検知回路１８０の出力が「Ｈ」の場合、ＮＰＮトランジスタ１５４はオンし、定電流回路１５２で発生する定電流Ｉ６をコレクタ電流として流す。よってＮＰＮトランジスタ１５６は、ベースに電流が供給されなくなるのでオフとなる。
【００５７】
一方、電源電圧検知回路１８０の出力が「Ｌ」の場合、ＮＰＮトランジスタ１５４はオフとなり、定電流回路１５２で発生する定電流Ｉ６はＮＰＮトランジスタ１５６のベースに供給される。よってＮＰＮトランジスタ１５６はオンする。
【００５８】
また、Ｃ点の電圧がＤ点より低い場合、ＰＮＰトランジスタ１０４がオンとなり、ＰＮＰトランジスタ１０６がオフとなる。よって、電流ミラー回路を構成するＮＰＮトランジスタ１０８とＮＰＮトランジスタ１１０がオフし、ＮＰＮトランジスタ１６０がオンする。定電流回路１５８で発生する定電流Ｉ７はＮＰＮトランジスタ１６０のコレクタに供給されるので、ＮＰＮトランジスタ１２６、ＮＰＮトランジスタ１６６、およびＮＰＮトランジスタ１７４はオフとなる。ＮＰＮトランジスタ１７４がオフとなることでＮＰＮトランジスタ１７６のベースに定電流回路１７２で発生する定電流Ｉ８が供給され、ＮＰＮトランジスタ１７６はオンする。
【００５９】
一方、Ｃ点の電圧がＤ点よりも高い場合、ＰＮＰトランジスタ１０４がオフとなり、ＰＮＰトランジスタ１０６がオンとなる。よって、電流ミラー回路を構成するＮＰＮトランジスタ１０８とＮＰＮトランジスタ１１０がオンし、ＰＮＰトランジスタ１０６のコレクタ電流と等倍の電流を流そうとする。そのため、ＮＰＮトランジスタ１６０のベースに電流が供給されなくなり、ＮＰＮトランジスタ１６０はオフとなる。ＮＰＮトランジスタ１６０がオフとなることによって、定電流Ｉ７はＮＰＮトランジスタ１２６、ＮＰＮトランジスタ１６６、およびＮＰＮトランジスタ１７４のベースに、それぞれ抵抗１６２、１６４、１７０を介して、供給される。従って、ＮＰＮトランジスタ１２６、ＮＰＮトランジスタ１６６、およびＮＰＮトランジスタ１７４はオンする。ＮＰＮトランジスタ１７４がオンすることによって定電流Ｉ８をコレクタ電流として流すので、ＮＰＮトランジスタ１７６はベースに電流が供給されなくなりオフとなる。
【００６０】
なお、定電流回路１１８、および定電流回路１２２は充放電回路を構成し、定電流回路１２８、ＮＰＮトランジスタ１３０およびＮＰＮトランジスタ１３２は放電制御回路を構成している。また、定電流回路１０２、ＰＮＰトランジスタ１０４、１０６、ＮＰＮトランジスタ１０８、１１０は、第２比較回路を構成し、定電流回路１７２、ＮＰＮトランジスタ１７４、１７６は充電期間設定回路を構成している。
【００６１】
＝＝＝保護回路の動作＝＝＝
次に図１および図３を用いて保護回路１００の動作について説明する。図３は本発明の保護回路の動作を説明するための波形図である。なお、図３（ａ）は電源電圧ＶＣＣとして高い電圧を使用する場合を示す波形図であり、図３（ｂ）は電源電圧ＶＣＣとして低い電圧を使用する場合を示す波形図である。
【００６２】
≪モータが通常に駆動している場合≫
Ｄ点の電圧（『比較電圧』）は、電圧ＶＣＣに依存しない電圧ＶＲＥＧを分圧して得られる電圧であり、モータが通常に駆動している時のＣ点の電圧より高い、拘束保護の動作電圧（図３に示すＤ１）が設定されている。よって、モータが通常に駆動している場合にはＰＮＰトランジスタ１０４、ＮＰＮトランジスタ１６０およびＮＰＮトランジスタ１７６はオンとなり、ＰＮＰトランジスタ１０６、ＮＰＮトランジスタ１０８、ＮＰＮトランジスタ１１０、ＮＰＮトランジスタ１２６、ＮＰＮトランジスタ１６６およびＮＰＮトランジスタ１７４はオフとなっている。また、ＮＰＮトランジスタ１７６がオンすることによって、定電流回路１２８で発生する定電流Ｉ４はＮＰＮトランジスタ１７６のコレクタに供給される。よって電源電圧検知回路１８０の出力に関係なく、電流ミラー回路を構成するＮＰＮトランジスタ１３０、１３２はオフとなる。
【００６３】
また、モータが通常に駆動している場合、ＦＧ信号はモータの回転周期に比例して「Ｈ」と「Ｌ」を繰り返す矩形波となる。そして、ＮＰＮトランジスタ１１６は、ＦＧ信号の「Ｌ」の期間にオフし、「Ｈ」の期間にオンする。  
ＦＧ信号が「Ｌ」、すなわちＮＰＮトランジスタ１１６がオフの期間には、定電流回路１１８で発生する定電流Ｉ２は定電流回路１２２で発生する定電流Ｉ３より大きいので、定電流２と定電流３の差分の電流（『第１の定電流』）でコンデンサ１２４を充電する。よって、Ｃ点の電圧は上昇する。  
ＦＧ信号が「Ｈ」、すなわちＮＰＮトランジスタ１１６がオンの期間には、（定電流Ｉ３＋ＮＰＮトランジスタ１１６のコレクタ電流）と定電流Ｉ２の差分の電流によってコンデンサ１２４の充電電圧を放電する。よって、Ｃ点の電圧は低下する。  
このように、モータが通常に駆動している場合には、Ｃ点の電圧はＦＧ信号の「Ｈ」と「Ｌ」の期間に応じて、Ｄ１（『上限電圧』）より小さい値において上昇と低下を繰り返している。
【００６４】
≪モータが拘束された場合≫
（電源電圧ＶＣＣに高い電圧を使用する場合）
電源電圧ＶＣＣに、例えば６ボルトより高い電圧を使用する場合、Ａ点＜Ｂ点なので電源電圧検知回路１８０の出力が「Ｌ」、ＮＰＮトランジスタ１５４はオフ、ＮＰＮトランジスタ１５６はオンとなっている。また、ＮＰＮトランジスタ１５６がオンすることで、ＮＰＮトランジスタ１７６のオン、オフに関係なく、電流ミラー回路を構成するＮＰＮトランジスタ１３０、１３２はオフとなる。
【００６５】
モータが拘束されＦＧ信号が「Ｌ」に固定となると、ＮＰＮトランジスタ１１６はオフとなる。そのため、コンデンサ１２４には定電流Ｉ２と定電流Ｉ３の差分の電流によって充電が続けられ、Ｃ点の電圧は上昇する。  
やがて、Ｃ点の電圧がＤ１より高くなる。すると、ＰＮＰトランジスタ１０４、ＮＰＮトランジスタ１６０およびＮＰＮトランジスタ１７６はオフとなり、ＰＮＰトランジスタ１０６、ＮＰＮトランジスタ１０８、ＮＰＮトランジスタ１１０、ＮＰＮトランジスタ１２６、ＮＰＮトランジスタ１６６およびＮＰＮトランジスタ１７４はオンとなる。
【００６６】
ＮＰＮトランジスタ１６６がオンすることによってＤ点の電圧は、抵抗１１２の抵抗値と、抵抗１１４および抵抗１６８を並列接続した抵抗値とによって電圧ＶＲＥＧを分圧した電圧（以下Ｄ２とする）になる。なお、Ｄ２（『下限電圧』）はＤ１より低い電圧である。  
また、ＮＰＮトランジスタ１２６がオンすることによって、定電流Ｉ２がＮＰＮトランジスタ１２６のコレクタ電流として流れるので、コンデンサ１２４は定電流Ｉ３によって放電されることになる。よってＥ点の電圧は、図３（ａ）のＴ２期間に示すように定電流Ｉ３によって徐々に低下する。  
つまり、Ｃ点の電圧がＤ１より高くなることによって、充電から放電への切り替えが行われるのと共に、Ｄ点の電圧はＤ１より低いＤ２に変更される。そしてＣ点の電圧がＤ２に達するまでの期間（Ｔ２期間）において、定電流Ｉ３でコンデンサ１２４を徐々に放電する。
【００６７】
やがて、Ｃ点の電圧がＤ２より低くなる。すると、ＰＮＰトランジスタ１０４、ＮＰＮトランジスタ１６０およびＮＰＮトランジスタ１７６はオンとなり、ＰＮＰトランジスタ１０６、ＮＰＮトランジスタ１０８、ＮＰＮトランジスタ１１０、ＮＰＮトランジスタ１２６、ＮＰＮトランジスタ１６６およびＮＰＮトランジスタ１７４はオフとなる。  
ＮＰＮトランジスタ１６６がオフすることによってＤ点の電圧はＤ２からＤ１になる。
【００６８】
また、ＮＰＮトランジスタ１２６がオフすることによって、コンデンサ１２４は定電流Ｉ２と定電流Ｉ３の差分の電流で充電される。よってＣ点の電圧は、図３（ａ）のＴ１期間に示すように定電流（Ｉ２−Ｉ３）によって上昇する。  
つまり、Ｃ点の電圧がＤ２より低くなることによって、放電から充電への切り替えが行われるのと共に、Ｄ点の電圧はＤ２からＤ１に変更される。そしてＣ点の電圧がＤ１に達するまでの期間（Ｔ１期間）において、定電流Ｉ２とＩ３の差分の電流でコンデンサ１２４を充電する。
【００６９】
（電源電圧ＶＣＣに低い電圧を使用する場合）
電源電圧ＶＣＣに、例えば６ボルトより低い電圧を使用する場合、Ａ点＞Ｂ点なので電源電圧検知回路１８０の出力が「Ｈ」、ＮＰＮトランジスタ１５４はオン、ＮＰＮトランジスタ１５６はオフとなっている。  
モータが拘束されＦＧ信号が「Ｌ」に固定となると、ＮＰＮトランジスタ１１６はオフとなる。そのため、コンデンサ１２４には定電流Ｉ２と定電流Ｉ３の差分の電流によって充電が続けられ、Ｃ点の電圧は上昇する。
【００７０】
やがて、Ｃ点の電圧がＤ１より高くなる。すると、ＰＮＰトランジスタ１０４、ＮＰＮトランジスタ１６０およびＮＰＮトランジスタ１７６はオフとなり、ＰＮＰトランジスタ１０６、ＮＰＮトランジスタ１０８、ＮＰＮトランジスタ１１０、ＮＰＮトランジスタ１２６、ＮＰＮトランジスタ１６６およびＮＰＮトランジスタ１７４はオンとなる。  
ＮＰＮトランジスタ１６６がオンすることによってＤ点の電圧は、Ｄ１からＤ２になる。
【００７１】
また、ＮＰＮトランジスタ１２６がオンすることによって、定電流Ｉ２がＮＰＮトランジスタ１２６のコレクタ電流として流れる。  
そして、ＮＰＮトランジスタ１７６がオフすることによって、電流ミラー回路を構成するＮＰＮトランジスタ１３０、１３２がオンし、ＮＰＮトランジスタ１３２は定電流Ｉ４と等倍の電流をコレクタ電流（『第３の定電流』）として流そうとする。  
よってＥ点の電圧は、図３（ｂ）のＴ３期間に示すように定電流（Ｉ３＋Ｉ４）によって低下する。  
つまり、Ｃ点の電圧がＤ１より高くなることによって、充電から放電への切り替えが行われるのと共に、Ｄ点の電圧はＤ１からＤ２に変更される。そしてＣ点の電圧がＤ２に達するまでの期間（Ｔ３期間）において、定電流（Ｉ３＋Ｉ４）でコンデンサ１２４を放電する。
【００７２】
やがて、Ｃ点の電圧がＤ２より低くなる。すると、ＰＮＰトランジスタ１０４、ＮＰＮトランジスタ１６０およびＮＰＮトランジスタ１７６はオンとなり、ＰＮＰトランジスタ１０６、ＮＰＮトランジスタ１０８、ＮＰＮトランジスタ１１０、ＮＰＮトランジスタ１２６、ＮＰＮトランジスタ１６６およびＮＰＮトランジスタ１７４はオフとなる。  
ＮＰＮトランジスタ１６６がオフすることによってＤ点の電圧はＤ２からＤ１になる。
【００７３】
また、ＮＰＮトランジスタ１７６がオンすることによって、電流ミラー回路を構成するＮＰＮトランジスタ１３０、１３２はともにオフとなる。  
そして、ＮＰＮトランジスタ１２６がオフすることによって、コンデンサ１２４は定電流Ｉ２とＩ３の差分の電流で充電される。よってＥ点の電圧は、定電流（Ｉ２−Ｉ３）によって上昇する。
【００７４】
つまり、Ｃ点の電圧がＤ２より低くなることによって、放電から充電への切り替えが行われるのと共に、Ｄ点の電圧はＤ２からＤ１に変更される。そしてＣ点の電圧がＤ１に達するまでの期間において、定電流Ｉ２とＩ３の差分の電流でコンデンサ１２４を充電する。なお、定電流Ｉ２とＩ３の差分の電流でコンデンサ１２４を充電するので、図３（ｂ）において充電を行う期間は図３（ａ）のＴ１期間と等しくなる。  
以後同様にコンデンサ１２４の充電と放電を繰り返す。これにより、駆動コイルを通電／非通電とする期間が一定間隔で切り替わる。
【００７５】
なお、ＮＰＮトランジスタ１２６のベース電位が保護回路の出力となり、Ｃ点の電圧がＤ１より高くなった時にモータの拘束を示す「Ｈ」が出力される。そして、出力が「Ｈ」すなわちＮＰＮトランジスタ１２６がオンしてコンデンサ１２４を放電している期間には駆動コイル２１６を非通電とし、出力が「Ｌ」すなわちＮＰＮトランジスタ１２６がオフしてコンデンサ１２４を充電している期間には駆動コイル２１６を通電する。モータの拘束が解除されると、ＦＧ信号が正常な矩形波になり、ＮＰＮトランジスタ１１６が一定周期でオンするので、Ｃ点の電圧はＤ１を越えなくなる。従って保護回路の出力は「Ｌ」となり通常のモータ駆動となる。
【００７６】
このように、本発明の保護回路は、モータの拘束時にＤ１とＤ２の電圧範囲内において、電源電圧ＶＣＣに高い電圧を使用する場合には、定電流Ｉ３でコンデンサ１２４を放電し、定電流（Ｉ２−Ｉ３）でコンデンサ１２４を充電する。一方、電源電圧ＶＣＣに低い電圧を使用する場合には、定電流（Ｉ３＋Ｉ４）でコンデンサ１２４を放電し、定電流（Ｉ２−Ｉ３）でコンデンサ１２４を充電する。  
よって、充電期間を変更することなく放電期間のみを、電源電圧ＶＣＣの大きさに応じて、可変とすることができる。
【００７７】
また、図１の一点鎖線で囲まれた、電源電圧検知回路１８０と、定電流回路１５０、ＮＰＮトランジスタ１５４、ＮＰＮトランジスタ１５６、定電流回路１２８、および電流ミラー回路を構成するＮＰＮトランジスタ１３０、１３２とを、コンデンサ１２４に対して並列接続となるように、Ｃ点と定電流回路１２２間に複数個接続してもよい。なお、複数の電源電圧検知回路１８０は、例えば抵抗１４４、１４６、１４８、１５０の抵抗値を変更することによってＡ点とＢ点の大小関係が異なるものとする。
【００７８】
すると、電流ミラー回路を構成する複数のＮＰＮトランジスタ１３０、１３２が、電源電圧ＶＣＣの大きさに応じて選択的に動作することになる。そして、コンデンサ１２４を放電する定電流（Ｉ３＋Ｉ４）のうちの定電流Ｉ４は、選択的に動作した電流ミラー回路のＮＰＮトランジスタ１３２に流れるコレクタ電流の加算値となる。
【００７９】
このように、図１の一点鎖線で囲まれた部分を複数設けることによって、電源電圧ＶＣＣの大きさに応じて、充電期間と放電期間の比を多段階に変更することができる。また、その数を増やすことによって、電源電圧ＶＣＣの大きさに応じて、ほぼ線形的に充電期間と放電期間の比を変更することも可能となる。
【００８０】
以上、説明したように、本発明の保護回路１００は、電源電圧ＶＣＣの大きさに応じて駆動コイル２１６を導通／非導通とする期間の比を変更することができる。そのため、電源電圧ＶＣＣとして熱破壊の恐れの少ない低い電圧を使用した時には非導通の時間を短くできるので製品検査等の時間を短縮することができる。
【００８１】
また、図１の一点鎖線で囲まれた部分を複数個Ｃ点に接続することによって、コンデンサ１２４の放電量を電源電圧ＶＣＣの大きさに応じて多段階に可変とすることができる。よって駆動コイルを導通／非導通とする期間の比を電源電圧に応じて多段階に設定することができる。
【００８２】
さらに、電源電圧ＶＣＣを分圧したＢ点の電圧が、電圧ＶＲＥＧを分圧したＡ点の電圧より高い場合には、コンデンサ１２４を定電流Ｉ３で放電し、Ｂ点の電圧がＡ点の電圧より低い場合には、コンデンサ１２４を定電流（Ｉ３＋Ｉ４）で放電する。このように、Ｂ点の電圧とＡ点の電圧との大小に応じて、放電時間を切り替えることができる。
【００８３】
定電流回路１１８は、コンデンサ１２４と直列に接続され、定電流回路１２２はコンデンサ１２４と並列に接続されているので、コンデンサ１２４を充電時には、定電流Ｉ２と定電流Ｉ３の差分の電流で充電することができ、放電時にはＮＰＮトランジスタ１２６をオンさせて定電流Ｉ２をＮＰＮトランジスタ１２６のコレクタ電流として流すことで放電を行うことができる。
【００８４】
また、ＮＰＮトランジスタ１３０、１３２によって構成される電流ミラー回路が、電源電圧ＶＣＣの大きさに応じて動作するか否かによってコンデンサ１２４を放電する電流量を変更することができる。
【００８５】
さらに、Ｃ点の電圧がＤ１より高くなるとＤ点の電圧をＤ２に変更して充電から放電に切り替え、逆にＣ点の電圧がＤ２より低くなると、Ｄ点の電圧をＤ１に変更して、放電から充電に切り替える。こうすることで、Ｄ１とＤ２の電圧振幅間で充電と放電を交互に行うことができる。また、充電は常に定電流（Ｉ２−Ｉ３）で行うので、放電期間の長さの切り替えにかかわらず、充電期間を一定とすることができる。
【００８６】
また、バンドギャップ型基準電圧回路で発生する基準電圧ＶＲＥＧを適用することによって、温度変化の影響を受けない一定の電圧を得ることができる。
【００８７】
以上、本実施の形態について、その実施の形態に基づき具体的に説明したが、これに限定されるものではなく、その要旨を逸脱しない範囲で種々変更可能である。
【図面の簡単な説明】
【００８８】
【図１】本発明の実施形態にかかる保護回路の構成を示す回路図である。
【図２】本発明の保護回路を含むシステム構成を示すブロック図である。
【図３】本発明の保護回路の動作を説明するための波形図である。
【図４】従来の保護回路の構成を示す回路図である。
【図５】従来の保護回路の動作を説明するための波形図である。
【符号の説明】
【００８９】
１００    保護回路
１０２、１１８、１２２、１２８、１３４、１５２、１５８、１７２    定電流回路
１０４、１０６、１３６、１３８    ＰＮＰトランジスタ
１０８、１１０、１１６、１２６、１３０、１３２、１４０、１４２、１５４、１５６、１６０、１６６、１７４、１７６    ＮＰＮトランジスタ
１２０    ダイオード
１２４    コンデンサ
１１２、１１４、１４４、１４６、１４８、１５０、１６２、１６４、１６８、１７０    抵抗
１８０    電源電圧検知回路
【図１】
2006129671.tif 000003
【図２】
2006129671.tif 000004
【図３】
2006129671.tif 000005
【図４】
2006129671.tif 000006
【図５】
2006129671.tif 000007